【手続補正書】
【提出日】平成18年12月25日(2006.12.25)
【手続補正１】
【補正対象書類名】明細書
【補正対象項目名】特許請求の範囲
【補正方法】変更
【補正の内容】
【特許請求の範囲】
【請求項１】  外縁部と、中央領域および第１端部領域を有する電子ビーム放射窓とを有する真空チャンバと、
この真空チャンバ内に配置され、電子を発生する電子発生器とを備えた電子加速器であって、
前記電子発生器および前記真空チャンバは、電子を電子ビームとして前記放射窓を通って外部に加速するような相互の形状および配置であり、前記放射窓の中央領域を通過する電子は前記放射窓に対してほぼ垂直であり、前記放射窓の第１端部領域を通過する電子は前記放射窓に対して外方に傾斜し、この外方に傾斜した電子の少なくとも一部が前記外縁部をはみ出す方向に向いている電子加速器。
【請求項２】  請求項１において、前記放射窓が前記第１端部領域とは反対側の端部に第２端部領域を有し、この第２端部領域を通過する電子は前記放射窓に対して外方に傾斜し、この第２端部領域を通過する外方に傾斜した電子の少なくとも一部が前記外縁部をはみ出す方向に向いている電子加速器。
【請求項３】  請求項２において、前記放射窓の中央領域付近に平坦な電気力線、前記放射窓の第１および第２端部領域付近に湾曲した電気力線が形成されるように、前記電子発生器は前記放射窓を基準として前記真空チャンバ内に配置され、前記平坦な電気力線が電子を放射窓に対して垂直に中央領域を通過させ、前記湾曲した電気力線が電子を外方に傾斜して第１および第２端部領域を通過させる電子加速器。
【請求項４】  請求項２において、前記放射窓は電子を通過させる窓開口を有し、前記第１および第２端部領域付近の窓開口は外方に傾斜して、外方に傾斜した電子の通過を助長する電子加速器。
【請求項５】  請求項２において、前記電子発生器が、
電子を発生する少なくとも１つのフィラメントと、
この少なくとも１つのフィラメントを囲むハウジングとを備え、
前記ハウジングは、前記少なくとも１つのフィラメントと前記放射窓の間のハウジングに形成された多数のハウジング開口を有して、電子を前記少なくとも１つのフィラメントから前記放射窓を通って外部に加速させる電子加速器。
【請求項６】  請求項５において、前記ハウジング開口は、前記放射窓の前記中央領域を通ってハウジングから放射する電子よりも前記第１および第２端部領域を通ってハウジングから放射する電子の方が、密度が高くなるように構成されている電子加速器。
【請求項７】  請求項６において、前記ハウジング開口が中央および外部ハウジング開口を有し、前記外部ハウジング開口が前記中央ハウジング開口よりも大きい開口領域を設ける電子加速器。
【請求項８】  請求項５において、前記ハウジング開口が細長いスロットを有する電子加速器。
【請求項９】  第１電子ビームを発生する第１電子加速器であって、前記第１電子ビームは、この第１電子加速器をはみ出して水平方向に延びる部分を有する第１電子加速器と、
共通の軸に沿って前記第１電子加速器に隣接して配置され、第２電子ビームを発生する第２電子加速器であって、前記第２電子ビームは、この第２電子加速器をはみ出して水平方向に延びる部分を有し、この第２電子加速器をはみ出して水平方向に延びる部分が前記第１電子加速器をはみ出して水平方向に延びる第１電子部分と前記軸に沿ってオーバーラップする第２電子加速器とを備えた電子加速器システム。
【請求項１０】  請求項９において、前記第１電子ビームは前記第１電子加速器よりも幅が広く、前記第２電子ビームは前記第２電子加速器よりも幅が広い、電子加速器システム。
【請求項１１】  請求項１０において、前記第１および第２電子加速器が、それぞれ、
外縁部および電子ビーム放射窓を有し、この放射窓が中央領域、第１端部領域および第２端部領域を有する真空チャンバと、
この真空チャンバ内に配置され、電子を発生する電子発生器とを備え、
前記電子発生器および前記真空チャンバは、電子を電子ビームとして前記放射窓を通って外部に加速するような相互の形状および配置であり、前記放射窓の中央領域を通過する電子は前記放射窓に対してほぼ垂直であり、前記放射窓の第１端部領域を通過する電子は前記放射窓に対して外方に傾斜し、この外方に傾斜した電子の少なくとも一部が前記外縁部をはみ出す方向に向いている電子加速器システム。
【請求項１２】  請求項１１において、前記放射窓の中央領域付近には平坦な電気力線、前記放射窓の第１および第２端部領域付近には湾曲した電気力線を形成するように、前記電子発生器は前記放射窓を基準として前記真空チャンバ内に配置されて、前記平坦な電気力線が電子を放射窓に対して垂直に中央領域に通過させ、前記湾曲した電気力線が電子を外方に傾斜して第１および第２端部領域を通過させる、電子加速器システム。
【請求項１３】  電子を発生する電子発生器と、
前記電子発生器をカバーする筐体とを備えた電子加速器であって、
前記筐体が特定の外周幅を有する外縁部および放射窓を有し、前記電子発生器および前記筐体は、電子発生器から発生した電子を前記外周幅よりも広い電子ビームとして前記放射窓から外部に加速するような、相互の形状および配置である電子加速器。
【請求項１４】  シート供給式機械用の電子加速器システムであって、
シート状材料を受け取る回転移送シリンダであって、シートを移送シリンダに押し当てる保持装置を有する回転移送シリンダと、
前記移送シリンダから間隔をあけて、電子ビームをシートに照射する電子加速器とを備えた、シート供給式機械用電子加速器システム。
【請求項１５】  請求項１４において、さらに、内側に傾斜した１対のローラを備え、これらローラが前記回転移送シリンダにシートを接触させて押し当てる、電子加速器システム。
【請求項１６】  請求項１４において、さらに、前記電子ビーム加速器および前記移送シリンダの少なくとも一部をカバーする筐体を備えた電子加速器システム。
【請求項１７】  請求項１６において、さらに、前記筐体に取り付けられ、シートに向かって気体を振動させてシートを前記移送シリンダに押し付ける超音波装置を備えた電子加速器システム。
【請求項１８】  請求項１６において、さらに、前記筐体に取り付けられ、前記移送シリンダにシートを押し付けるブロワを備えた電子加速器システム。
【請求項１９】  請求項１６において、さらに、不活性ガスを筐体に供給する不活性ガス供給源を備えた電子加速器システム。
【請求項２０】  １対の上流側ピンチローラから下流側ローラに連続的に移動する巻取り紙を照射するシステムであって、
巻取り紙に電子ビームを照射する電子加速器システムと、
前記上流側ピンチローラの近傍に位置する上流側遮蔽部材および前記下流側ローラの近傍に位置する下流側遮蔽部材を有し、前記上流側ピンチローラと前記下流側ローラとの間の巻取り紙をカバーする巻取り紙筐体と、
前記筐体に不活性ガスを供給する不活性ガス供給源とを備え、
多量の不活性ガスが前記筐体から流出するのを防止するように、前記上流側遮蔽部材は前記上流側ピンチローラに、前記下流側遮蔽部材は前記下流側ローラに十分に近接して位置決めされ、前記筐体に多量の空気が浸入するのを防止するように、前記巻取り紙が前記筐体内に入る前に、前記ピンチローラが空気の進入を阻止する巻取り紙照射システム。
【請求項２１】  請求項２０において、前記電子加速器システムが、モジュール筐体内に配置され、電子ビームモジュールを形成する電子ビーム装置を少なくとも１つ備え、前記電子ビームモジュールが前記巻取り紙筐体に取付けられている巻取り紙照射システム。
【請求項２２】  連続的に移動する巻取り紙を照射するシステムであって、
巻取り紙に電子ビームを照射する電子加速器と、
前記電子加速器および前記巻取り紙の一部を収納する筐体と、
この筐体内の巻取り紙の通路に次々に配置され、前記筐体内での巻取り紙の方向をそれぞれ変更させる多数の超音波メンバとを備え、
前記筐体から電子が漏れ出すのを防止するように、前記筐体が、前記電子加速器との直線的配置からずれた巻取り紙用入口および出口を有する巻取り紙照射システム。
【請求項２３】  電子加速器を形成する方法であって、
外縁部と、中央領域および第１端部領域を有する電子ビーム放射窓とを有する真空チャンバを設ける工程と、
この真空チャンバ内に、電子を発生する電子発生器を配置する工程とを備え、
前記電子発生器および前記真空チャンバは、電子を電子ビームとして前記放射窓を通って外部に加速するような相互の形状および配置であり、前記放射窓の中央領域を通過する電子は前記放射窓に対してほぼ垂直であり、前記放射窓の第１端部領域を通過する電子は前記放射窓に対して外方に傾斜し、この外方に傾斜した電子の少なくとも一部が前記外縁部をはみ出す方向に向いている、電子加速器形成方法。
【請求項２４】  請求項２３において、さらに、前記放射窓に、前記第１端部領域とは反対側の端部に第２端部領域を設ける工程を備え、この第２端部領域を通過する電子は前記放射窓に対して外方に傾斜し、前記第２端部領域を通過する外方に傾斜した電子の少なくとも一部が前記外縁部をはみ出す方向に向いている、電子加速器形成方法。
【請求項２５】  請求項２４において、さらに、前記放射窓の中央領域付近に平坦な電気力線、前記放射窓の第１および第２端部領域付近に湾曲した電気力線が形成されるように、前記放射窓を基準として前記真空チャンバ内に前記電子発生器を配置する工程を備え、前記平坦な電気力線が電子を放射窓に対して垂直に中央領域に通過させ、前記湾曲した電気力線が電子を外方に傾斜して第１および第２端部領域を通過させる、電子加速器形成方法。
【請求項２６】  請求項２５において、さらに、電子を通過させる窓開口を前記放射窓に形成する工程を備え、前記第１および第２端部領域付近の窓開口は外方に傾斜して、外方に傾斜した電子の通過を助長する、電子加速器形成方法。
【請求項２７】  請求項２５において、前記電子発生器が、
電子を発生させる少なくとも１つのフィラメントを設ける工程と、
この少なくとも１つのフィラメントをハウジングで囲む工程とによって形成され、
前記ハウジングは、前記少なくとも１つのフィラメントと前記放射窓の間のハウジングに形成された多数のハウジング開口を有して、電子を前記少なくとも１つのフィラメントから前記放射窓を介して外部に加速する、電子加速器形成方法。
【請求項２８】  請求項２７において、さらに、前記放射窓の前記中央領域を通ってハウジングから放射する電子よりも前記第１および第２端部領域を通ってハウジングから放射する電子の方が、密度が高くなるように、前記ハウジング開口を構成する工程を備えた、電子加速器形成方法。
【請求項２９】  請求項２８において、前記ハウジング開口が中央および外部ハウジング開口を有し、さらに、前記外部ハウジング開口に前記中央ハウジング開口よりも大きい開口領域を設ける工程を備えた、電子加速器形成方法。
【請求項３０】  請求項２７において、さらに、前記ハウジング開口を細長いスロットから形成する工程を備えた、電子加速器形成方法。
【請求項３１】  電子加速器システムを形成する方法であって、
第１電子ビームを発生する第１電子加速器を設ける工程であって、前記第１電子ビームは、この第１電子加速器をはみ出して水平方向に延びる部分を有する、第１電子加速器を設ける工程と、
共通の軸に沿って前記第１電子加速器に隣接して配置され、第２電子ビームを発生する第２電子加速器を配置する工程であって、前記第２電子ビームは、この第２電子加速器をはみ出して水平方向に延びる部分を有し、この第２電子加速器をはみ出して水平方向に延びる部分が前記第１電子加速器をはみ出して水平方向に延びる第１電子ビームの部分と前記軸に沿ってオーバーラップする、第２電子加速器を配置する工程とを備えた、電子加速器システム形成方法。
【請求項３２】  請求項３１において、さらに、前記第１電子加速器よりも広い幅を有する前記第１電子ビームを発生する工程と、前記第２電子加速器よりも広い幅を有する前記第２電子ビームを発生させる工程とを備えた、電子加速器システム形成方法。
【請求項３３】  請求項３２において、前記第１および第２電子加速器が、それぞれ、
外縁部および電子ビーム放射窓を有し、この放射窓が中央領域、第１端部領域および第２端部領域を有する真空チャンバを設ける工程と、
この真空チャンバ内に、電子を発生する電子発生器を配置する工程とによって形成され、
前記電子発生器および前記真空チャンバは、電子を電子ビームとして前記放射窓を通って外部に加速するような相互の形状および配置であり、前記放射窓の中央領域を通過する電子は前記放射窓に対してほぼ垂直であり、前記放射窓の第１端部領域を通過する電子は前記放射窓に対して外方に傾斜し、この外方に傾斜した電子の少なくとも一部が前記外縁部をはみ出す方向に向いている、電子加速器システム形成方法。
【請求項３４】  請求項３３において、さらに、前記放射窓の中央領域付近には平坦な電気力線、前記放射窓の第１および第２端部領域付近には湾曲した電気力線を形成するように、前記放射窓を基準として前記電子発生器を前記真空チャンバ内に配置する工程を備え、前記平坦な電気力線が電子を放射窓に対して垂直に中央領域を通過させ、前記湾曲した電気力線が電子を外方に傾斜して第１および第２端部領域を通過させる、電子加速器システム形成方法。
【請求項３５】  電子を発生する電子発生器を設ける工程と、
特定の外周幅を有する外縁部および放射窓を有する筐体内に、前記電子発生器を封入する工程とを備えた、電子ビームを発生する方法であって、
前記電子発生器および前記筐体は、電子発生器から発生した電子を前記外周幅よりも広い電子ビームとして前記放射窓から外部に加速するような、相互の形状および配置である、電子ビーム発生方法。
【請求項３６】  シート供給式機械内のシート状材料を照射する方法であって、
シートを移送シリンダに押し当てる保持装置を有する回転移送シリンダによってシート状材料を受け取る工程と、
前記移送シリンダから間隔をあけて、電子加速器からの電子ビームを前記シートに照射する工程とを備えた、シート状材料照射方法。
【請求項３７】  請求項３６において、さらに、内側に傾斜した１対のローラを用いて、前記回転移送シリンダにシートを接触させて押し当てる工程を備えた、シート状材料照射方法。
【請求項３８】  請求項３６において、さらに、前記電子加速器および前記移送シリンダの少なくとも一部を筐体でカバーする工程を備えた、シート状材料照射方法。
【請求項３９】  請求項３８において、さらに、超音波装置を用いて、シートを前記移送シリンダに押し付けるように、シートに気体を振動させる工程を備えた、シート状材料照射方法。
【請求項４０】  請求項３８において、さらに、ブロワを用いて、前記移送シリンダにシートを押し付ける工程を備えた、シート状材料照射方法。
【請求項４１】  １対の上流側ピンチローラから下流側ローラに連続的に移動する巻取り紙を照射する方法であって、
前記上流側ピンチローラの近傍に位置する上流側遮蔽部材および前記下流側ローラの近傍に位置する下流側遮蔽部材を有する筐体で、前記上流側ピンチローラと前記下流側ローラとの間の巻取り紙をカバーする工程と、
前記筐体を不活性ガス供給源からの不活性ガスで充填する工程であって、多量の不活性ガスが前記筐体から流出するのを防止するように、前記上流側遮蔽部材が前記上流側ピンチローラに、前記下流側遮蔽部材が前記下流側ローラに十分に近接して位置決めされている充填工程と、
前記筐体内に多量の空気が侵入するのを防止するように、前記巻取り紙が前記筐体に入る前に、前記上流側ピンチローラによって巻取り紙に沿って移動する空気の進入を阻止する工程と、
電子加速器システムからの電子ビームを巻取り紙に照射する工程とを備えた、巻取り紙照射方法。
【請求項４２】  請求項４１において、さらに、電子ビームモジュールを形成するように、少なくとも１つの電子ビーム装置をモジュール筐体内に配置する工程を備え、前記電子ビームモジュールが前記巻取り紙筐体に取付けられている、巻取り紙照射方法。
【請求項４３】  連続的に移動する巻取り紙を照射する方法であって、
巻取り紙に電子ビームを照射する電子加速器を設ける工程と、
前記電子加速器および前記巻取り紙の一部を筐体でカバーする工程と、
巻取り紙の通路に次々に配置された多数の超音波メンバによって、前記筐体内での巻取り紙の方向をそれぞれ変更させる工程とを備え、
前記筐体から放射が漏れ出すのを防止するように、前記筐体が、前記電子加速器との直線的配置からずれた巻取り紙用入口および出口を有する、巻取り紙照射方法。
【請求項４４】  電子を発生するフィラメントと、
このフィラメントを囲むハウジングとを備え、
前記ハウジングは、前記フィラメントの全長に沿ってフィラメントに平行に延びる少なくとも１つの細長いスロットを有する、電子銃。
【請求項４５】  電子を発生する電子発生器と、
前記電子発生器をカバーする筐体とを備えた電子加速器であって、
前記筐体が特定の外周幅を有する外縁部および放射窓を有し、前記電子発生器および前記筐体は、電子発生器から発生した電子を、前記外周幅よりも水平方向に広く、前記外周幅をはみ出して水平方向に延びる電子ビームとして前記放射窓から外部に加速するような、相互の形状、サイズおよび配置である電子加速器。
【請求項４６】  電子を発生する電子発生器を設ける工程と、
特定の外周幅を有する外縁部および放射窓を有する筐体内に、前記電子発生器を封入する工程とを備えた、電子ビームを発生する方法であって、
前記電子発生器および前記筐体は、電子発生器から発生した電子を前記外周幅よりも水平方向に広く、前記外周幅をはみ出して水平方向に延びる電子ビームとして前記放射窓から外部に加速するような、相互の形状、サイズおよび配置である、電子ビーム発生方法。